(57)【特許請求の範囲】
【請求項１】
電線の端部に端子が接続された端子付電線と、
前記端子付電線の前記端子を収容するハウジングと、
前記ハウジングに組み付けられるシールドシェルと、
前記ハウジングと前記シールドシェルとの間において少なくとも前記端子付電線の前記端子および前記電線の端部に被着される防水栓と、
を備えたシールドコネクタであって、
前記シールドシェルは、前面側に配置される前記ハウジングに装填された前記端子付電線の前記電線を挿通させる電線挿通孔を後面に設けられており、
前記防水栓は、少なくとも前記端子および前記電線の端部の周囲に配置される防水栓本体と、該防水栓本体に埋設されて芯材となる樹脂部材と、を備え、
前記防水栓本体が、前記シールドシェルの前記電線挿通孔の前記前面側の縁部に当接するように配置されており、前記樹脂部材が、前記防水栓本体の少なくとも軸方向に配置されて、前記電線挿通孔を挿通して前記シールドシェルの後方に延出して配置されていることを特徴とするシールドコネクタ。
【請求項２】
前記端子付電線が複数であって、前記電線挿通孔が該端子付電線それぞれに独立して設けられており、前記防水栓が前記端子付電線のそれぞれに被着されていることを特徴とする請求項１記載のシールドコネクタ。
【発明の詳細な説明】
【技術分野】
【０００１】
本発明は、端子付電線の端子を収容したハウジングにシールドシェルを組み付けたシールドコネクタに関する。
【背景技術】
【０００２】
シールドコネクタの一例として、図５に示すように、ハウジング７１のキャビティ７２に端子７３が収容されている端子付電線７４の電線７５にゴム栓である防水栓７６が外嵌され、シールド部材７７を挟み込んだシールドシェル７８，７９がハウジング７１に固着され、電線７５を貫通させたゴム栓ホルダ８０がハウジング７１の後端部に取り付けられたシールドコネクタ７０が知られている（例えば、特許文献１参照）。
【０００３】
このようなシールドコネクタ７０は、防水栓７６の内周が電線７５に密着し、防水栓７６の外周がハウジング７１のキャビティ７２に密着して、電線７５の外周とキャビティ７２の内周とを防水するようにしている。
【０００４】
【特許文献１】特開２００５−１２９３５５号公報（図１）
【発明の開示】
【発明が解決しようとする課題】
【０００５】
ところが、上記特許文献１に開示されたシールドコネクタ７０では、以下の三つの課題がある。
【０００６】
課題の一つ目は、電線７５に密着するとともにハウジング７１のキャビティ７２に密着する防水栓７６が、単純な円環形状であって、端子７３から離れた位置の電線７５に装着されているために、シール性が高いとは言えないことである。
【０００７】
課題の二つ目は、防水栓７６が電線７５の長さ方向の比較的短い一部に装着されているために、防水栓７６自体が大きな保持力を得難いことである。
【０００８】
課題の三つ目は、課題の二つ目と同様に、防水栓７６が電線７５の長さ方向の比較的短い一部に装着されているために、電線７５に対する大きな保持力を得難いことである。
【０００９】
本発明は、上述した課題に鑑みてなされたものであり、シール性の向上と、防水栓の保持力の向上と、電線の保持力の向上とを達成することができるシールドコネクタを提供することを目的とする。
【課題を解決するための手段】
【００１０】
本発明の上記目的は、下記構成により達成される。
【００１１】
（１）  電線の端部に端子が接続された端子付電線と、
前記端子付電線の前記端子を収容するハウジングと、
前記ハウジングに組み付けられるシールドシェルと、
前記ハウジングと前記シールドシェルとの間において少なくとも前記端子付電線の前記端子および前記電線の端部に被着される防水栓と、
を備えたシールドコネクタであって、
前記シールドシェルは、前面側に配置される前記ハウジングに装填された前記端子付電線の前記電線を挿通させる電線挿通孔を後面に設けられており、
前記防水栓は、少なくとも前記端子および前記電線の端部の周囲に配置される防水栓本体と、該防水栓本体に埋設されて芯材となる樹脂部材と、を備え、
前記防水栓本体が、前記シールドシェルの前記電線挿通孔の前記前面側の縁部に当接するように配置されており、前記樹脂部材が、前記防水栓本体の少なくとも軸方向に配置されて、前記電線挿通孔を挿通して前記シールドシェルの後方に延出して配置されていることを特徴とするシールドコネクタ。
【００１２】
（２）  前記端子付電線が複数であって、前記電線挿通孔が該端子付電線それぞれに独立して設けられており、前記防水栓が前記端子付電線のそれぞれに被着されていることを特徴とする前記（１）記載のシールドコネクタ。
【００１３】
上記（１）の構成のシールドコネクタによれば、ハウジングとシールドシェルとの間において少なくとも端子付電線の端子および電線の端部に被着される防水栓は、弾性を有する防水栓本体がシールドシェルの電線挿通孔の前面側の縁部に当接することで、シールドシェル内への水等の浸入を防止することができる。
【００１４】
また、樹脂部材が、防水栓本体の少なくとも軸方向に配置されて、電線挿通孔を挿通してシールドシェルの後方に延出して配置されることで、シールドシェルに当接する防水栓本体の剛性を高めることができる。
【００１５】
更に、防水栓は、樹脂部材によって端子および電線の端部への密着力が高くなっているために端子付電線に対する大きな保持力を発生することができる。
【００１６】
更に、シールドシェルの電線挿通孔から引き出される電線に曲がりが生じた際に、電線が樹脂部材に直接当接するので、シールドシェルに接触せず、電線への損傷を防止することができる。
【００１７】
これらにより、シールドシェルの後面に電線挿通孔を設けたものであっても、シール性の向上と、防水栓の保持力の向上と、電線の保持力の向上とを達成することができる。
【００１８】
上記（２）の構成のシールドコネクタによれば、電線挿通孔が複数の端子付電線毎に設けられ、防水栓が複数の端子付電線毎に被着されることで、端子付電線のそれぞれにおいて、シール性の向上と、防水栓の保持力の向上と、電線の保持力の向上とを独立して達成することができる。
【発明の効果】
【００１９】
本発明によれば、電線の端部に端子が接続された端子付電線と、端子付電線の端子を収容するハウジングと、ハウジングに組み付けられるシールドシェルと、ハウジングとシールドシェルとの間において少なくとも端子付電線の端子および電線の端部に被着される防水栓と、を備えたシールドコネクタにおいて、シールドシェルの後面に電線挿通孔を設けたものであっても、シール性の向上と、防水栓の保持力の向上と、電線の保持力の向上とを達成することができる。
【発明を実施するための最良の形態】
【００２０】
以下、本発明に係る好適な実施形態を図面に基づいて詳細に説明する。
【００２１】
図１〜図４は本発明に係るシールドコネクタの実施形態を示すもので、図１は本発明に係る実施形態であるシールドコネクタにおけるハウジング側から視た分解斜視図、図２は図１のシールドコネクタにおける組み立て後の外観斜視図、図３は図２のシールドコネクタをシールドシェル側から視た外観斜視図、図４は図２のシールドコネクタにおける端子周りの縦断面図である。
【００２２】
図１に示すように、本発明の実施形態であるシールドコネクタ４０は、ハウジング１１と、シールドシェル１２と、端子付電線１３と、防水栓４１とを備え、シールドシェル１２に不図示の編組導体が電気的に接続される。
【００２３】
ハウジング１１は、雄コネクタハウジングとして機能するものであり、絶縁性のある樹脂を用いて円柱形状に形成されているハウジング本体１５を有する。
【００２４】
ハウジング１１は、ハウジング本体１５の上下方向中央部に、不図示の雌コネクタハウジング側である一端部が四角形の孔形状をなし、反雌コネクタハウジング側である他端部が円形の孔形状をなす一対の端子キャビティ１６，１７が並列に貫通形成されている。
【００２５】
また、ハウジング本体１５の他端部の外縁部には、上下の対向位置に、一対の可撓係止片１８，１９（可撓係止片１９は図３に示される。）がハウジング本体１５から軸方向にそれぞれ突出形成されており、可撓係止片１８，１９の周りに、可撓係止片１８，１９を囲むコ字形状のリブ２０，２１（リブ２１は図３に示される。）が形成されている。
【００２６】
シールドシェル１２は、導電性のある金属を用いて有底の円環形状に形成されており、円環部２２の反ハウジング１１側に、底に相当する側板２３を有する。また、シールドシェル１２は、編組導体が電気的に接続されることで、外乱等を防止するための接地回路を形成する。また、シールドシェル１２は、円環部２２の両側部に、上方に向けて延出したフランジ形状の固定部２４，２５をそれぞれ有する。
【００２７】
更に、シールドシェル１２は、側板２３の上下方向中央部に、シールドシェル１２の後方に向けて突出した中空円筒形状の一対の電線挿通孔２６，２７が並列に貫通形成されており、この電線挿通孔２６，２７の上方および下方に、係合孔２８，２９（係合孔２８は図３に示される。）が貫通形成されている。
【００２８】
端子付電線１３は、電線３０の端部に雄端子３１がそれぞれ電気的に接続されている。
防水栓４１は、蛇腹形状をなし、防水栓本体４２に樹脂部材（図４に示される。）４３が埋設されている。また、樹脂部材４３には、拡径されて後方に向けて延出された延出部４４が形成されている。そして、防水栓４１の樹脂部材４３の延出部４４がシールドシェル１２の電線挿通孔２６，２７を貫通して電線挿通孔２６，２７の後方に向けて突出配置されている。
【００２９】
防水栓４１は、雄端子３１が電線３０に接続される以前に、電線３０にそれぞれ挿通され、雄端子３１に有する電気接続部３４が電線３０に収容されている不図示の導体にそれぞれ電気的に接続された後に、雄端子３１の電気接続部３４と電線３０の接続端部との周りにおいて軸方向に予め定められた長さでもって被着される。
【００３０】
図２に示すように、シールドコネクタ４０は、組み立てにあたり、シールドシェル１２の電線挿通孔２６，２７に電線３０をそれぞれ挿通された端子付電線１３の雄端子３１が、ハウジング１１の端子キャビティ１６，１７に後方から挿入固定されることで、雄端子３１がハウジング１１の端子キャビティ１６，１７の前方に突出される。そして、ハウジング１１がシールドシェル１２に向けて押圧されていく。
【００３１】
図３に示すように、ハウジング１１には、上部の可撓係止片１８と対をなす下部の可撓係止片１９が形成されており、この可撓係止片１９を囲むようにリブ２１が形成されている。シールドシェル１２の側板２３には、上部の係合孔２８と対をなす下部の係合孔２９が形成されている。
【００３２】
そして、組み立てにあたり、シールドコネクタ４０は、シールドシェル１２の係合孔２８，２９にハウジング１１の可撓係止片１８，１９とリブ２０，２１とがそれぞれ挿入されて可撓係止片１８，１９が係合孔２８，２９にそれぞれ係合される。そして、ハウジング１１のハウジング本体１５がシールドシェル１２の側板２３に当接されることで、シールドシェル１２の電線挿通孔２６，２７から後方に向けて端子付電線１３の電線３０がそれぞれ引き出されて組み立てが終了される。
【００３３】
図４に示すように、端子付電線１３に被着されている防水栓４１は、円筒形状に形成された樹脂製の樹脂部材４３の内周および外周を軸方向に覆って弾性材製の防水栓本体４２が一体成形されている。そのため、ハウジング１１がシールドシェル１２に組み付けられることで、防水栓本体４２の後端部がシールドシェル１２の前面に当接されるとともに、防水栓本体４２の外周部がハウジング１１の端子キャビティ１７の内周面に当接される。
【００３４】
このとき、防水栓４１は、埋設されている樹脂部材４３によって全体としての剛性が高くなっているために、従来のような単純な円環形状のものと比較して、電線の軸方向及び径方向に曲がり難くなっていてシール性が高くなっている。また、防水栓４１は、埋設されている樹脂部材４３によって防水栓４１自体が大きな保持力を発生する。更に、防水栓４１は、埋設されている樹脂部材４３によって雄端子３１の電気接続部３４や電線３０の接続端部への密着力が高くなっているために端子付電線１３に対する大きな保持力を発生する。
【００３５】
上述したように、実施形態のシールドコネクタ４０によれば、シールドシェル１２の後面の電線挿通孔２６，２７から引き出される端子付電線１３の電線３０には、樹脂部材４３が防水栓本体４２に埋設されている防水栓４１が被着される。このとき、防水栓４１は、樹脂部材４３によって全体としての剛性が高くなっているために電線３０の軸方向に曲がり難くなっていてシール性を高くすることができるのでシール性の向上を達成することができる。
【００３６】
また、ハウジング１１とシールドシェル１２との間において端子付電線１３の雄端子３１の電気接続部３４および電線３０の端部に被着される防水栓４１は、弾性を有する防水栓本体４２がシールドシェル１２の電線挿通孔２６，２７の前面側の縁部に当接することで、シールドシェル１２内への水等の浸入を防止することができるとともに、樹脂部材４３が防水栓本体４２の軸方向に配置されることで、シールドシェル１２に当接する防水栓本体４２の剛性を高めることができる。
【００３７】
また、シールドシェル１２の電線挿通孔２７から後方へ向けて引き出されている電線３０に、図４中のＡ方向またはＢ方向に曲がりが生じた場合や、配線経路内で屈曲した方向を指定された場合に、その電線３０は、防水栓４１においてシールドシェル１２の後方に突出している延出部４４に直接当接するので、シールドシェル１２に接触せず、金属製のシールドシェル１２との接触に伴う損傷を防止されることとなる。
また、樹脂部材４３が半径方向に拡径した延出部４４を有することにより、防水栓本体４２と樹脂部材４３との軸方向のズレを防止することができる。
【００３８】
なお、本発明は、上述した実施形態に限定されるものではなく、適宜、変形、改良等が自在である。その他、上述した実施形態における各構成要素の材質、形状、寸法、数値、形態、数、配置場所、等は本発明の目的を達成できるものであれば任意であり、限定されない。
【００３９】
例えば、端子付電線は、図示した２本に代えて、３本以上の複数本であっても良く、その場合には、複数の端子付電線のそれぞれに防水栓を被着させるのが良い。
【００４０】
また、上述した実施形態において、延出部の内周部分まで防水栓本体を延長させるようにしても良い。これにより、シール性と電線の保持力とを、より一層向上させることができる。
【図面の簡単な説明】
【００４１】
【図１】本発明に係る実施形態であるシールドコネクタにおけるハウジング側から視た分解斜視図である。
【図２】図１のシールドコネクタにおける組み立て後の外観斜視図である。
【図３】図２のシールドコネクタをシールドシェル側から視た外観斜視図である。
【図４】図２のシールドコネクタにおける端子周りの縦断面図である。
【図５】従来のシールドコネクタの断面図である。
【符号の説明】
【００４２】
１１  ハウジング
１２  シールドシェル
１３  端子付電線
２６  電線挿通孔
２７  電線挿通孔
３０  電線
３１  雄端子（端子）
４０  シールドコネクタ
４１  防水栓
４２  防水栓本体
４３  樹脂部材
４４  延出部
【図１】
0004970220.tif 000002
【図２】
0004970220.tif 000003
【図３】
0004970220.tif 000004
【図４】
0004970220.tif 000005
【図５】
0004970220.tif 000006